(57)【要約】【課題】浴槽から漏れた水が外部へ流れ出ることを防止することができる浴室ユニットを提供する。【解決手段】浴室ユニットは、湯を溜める浴槽１０と、浴槽１０の周縁部１０ａに配設された壁部と、浴槽１０内において入浴する入浴者に湯を浴びせるシャワー装置とを備える。浴室ユニットは、浴槽１０の下方を覆う浴槽パン１１が設けられている。【選択図】図７
2018114186.tif 000002
【特許請求の範囲】
【請求項１】
湯を溜める浴槽と、前記浴槽の周縁部に配設された壁部と、前記浴槽内において入浴する入浴者に湯を浴びせるシャワー装置と、を備える浴室ユニットにおいて、
前記浴槽の下方を覆う浴槽パンが設けられていることを特徴とする浴室ユニット。
【請求項２】
前記浴槽の底部に配設される排水栓を有し、
前記排水栓に連結されるトラップ部が前記浴槽パンの内部に設けられていることを特徴とする請求項１に記載の浴室ユニット。
【請求項３】
前記浴槽に内外に貫通する貫通孔が形成されており、
前記貫通孔に機能部品が配設されていることを特徴とする請求項１または２に記載の浴室ユニット。
【請求項４】
前記機能部品に連結される配管が前記浴槽パンの側板に設けた貫通孔に配設されていることを特徴とする請求項３に記載の浴室ユニット。
【請求項５】
前記浴槽パンに底部より一段高い段部が形成されており、
前記機能部品に連結される配管が前記段部に設けた貫通孔に配設されていることを特徴とする請求項３に記載の浴室ユニット。
【請求項６】
前記トラップ部に連結される排水管部が前記浴槽パンの底部側板に設けた貫通孔に配設されていることを特徴とする請求項２に記載の浴室ユニット。
【発明の詳細な説明】
【技術分野】
【０００１】
本発明は、浴室ユニットに関する。
【背景技術】
【０００２】
近年では、専らシャワー装置から吐出される湯水を浴び、浴槽に溜めた湯に浸かることなく入浴を行う生活様式が見られるようになってきた。このような生活様式に合わせて、シャワー装置から吐出された湯水を受ける防水パンと、該防水パンを囲繞するように配設された壁部とを備えるコンパクトな浴室ユニットが考案されている。
【０００３】
例えば、特許文献１には、入浴可能な深さに湯を溜めることができる深型の防水パンを有し、防水パンの周縁部に配設された壁部もしくは天井部にシャワー装置を設けた浴室ユニットが開示されている。防水パンは、内部に湯を落とし込むための給湯手段を有しており、湯を溜めるための浴槽として機能する。防水パンには、給湯手段のほか、排水栓およびオーバーフロー用排水口が設けられている。
【先行技術文献】
【特許文献】
【０００４】
【特許文献１】実開平０３−０２９０８８号公報
【発明の概要】
【発明が解決しようとする課題】
【０００５】
特許文献１に記載の浴室ユニットは、防水パンに設けられた給湯手段、排水栓およびオーバーフロー用排水口において水漏れが発生した場合、水が防水パンの外部の例えば床等に流れ出してしまうという問題点があった。
【０００６】
本発明は、斯かる事情に鑑みてなされたものであり、その目的とするところは、浴槽から漏れた水が外部へ流れ出ることを防止することができる浴室ユニットを提供することにある。
【課題を解決するための手段】
【０００７】
本発明に係る浴室ユニットは、湯を溜める浴槽と、前記浴槽の周縁部に配設された壁部と、前記浴槽内において入浴する入浴者に湯を浴びせるシャワー装置と、を備える浴室ユニットにおいて、前記浴槽の下方を覆う浴槽パンが設けられていることを特徴とする。
【０００８】
本発明にあっては、浴室ユニットは、浴槽に湯を溜め、壁部が浴槽の周縁部に配設されており、浴槽内において入浴する入浴者にシャワー装置により湯を浴びせる。浴室ユニットは、浴槽の下方を覆う浴槽パンが設けられているので、浴槽から漏れた水を浴槽パンで受け止め、外部へ流れ出ることを防止することができる。
【発明の効果】
【０００９】
本発明によれば、浴室ユニットは、浴槽から漏れた水を浴槽パンで受け止め、外部へ流れ出ることを防止することができる。
【図面の簡単な説明】
【００１０】
【図１】本発明の実施形態に係る浴室ユニットの外観を示す斜視図である。
【図２】本発明の実施形態に係る浴室ユニット内の外観を示す斜視図である。
【図３】シャワー装置の正面図である。
【図４】浴槽部の分解斜視図である。
【図５】図５（ａ）および（ｂ）は浴室ユニットの施工方法における途中工程を示す模式図である。
【図６】図６（ａ）および（ｂ）は浴室ユニットの施工方法における他の途中工程を示す模式図である。
【図７】浴槽部の縦断面図である。
【図８】変形例に係る浴室ユニットの浴槽部の縦断面図である。
【発明を実施するための形態】
【００１１】
以下、本発明を好適な実施の形態をもとに図１から図８を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
（実施形態）
図１は本発明の実施形態に係る浴室ユニット１００の外観を示す斜視図、図２は本発明の実施形態に係る浴室ユニット１００内の外観を示す斜視図である。浴室ユニット１００は、壁部５１、天井５２、扉６、シャワー装置７、および浴槽部１等を有する。浴室ユニット１００は、図１に示すように壁９０および床９１等により区画された屋内空間において床９１上に設置される。浴槽部１は、湯を溜めることができる浴槽１０の周縁部１０ａに配設された壁部５１によって、周囲が覆われ、上方を天井５２によって覆われている。扉６は、壁部５１の一部に設けられており、開閉可能である。
【００１３】
浴槽部１は、壁部５１および扉６によって外部から遮蔽されている。入浴者は、扉６を開状態にして浴槽１０内に移動し、扉６を閉状態にしてシャワー装置７から吐出される湯を浴び、浴槽１０に溜めた湯に浸かって入浴することができる。尚、浴室ユニット１００は、浴槽部１の側方に洗い場床が設けられておらず、浴槽１０内で入浴が行われるものである。
【００１４】
図３はシャワー装置７の正面図である。シャワー装置７は、吐水横バー７１、縦ガイドバー７２、シャワーヘッド７３を有する。吐水横バー７１は、水平方向を軸方向とする棒状であり、浴槽部１の上方の壁面５１ａに取付けられている。吐水横バー７１は、軸方向の所定長さに亘って、細かな吐水孔を点在させた吐水部７１ａを有する。吐水部７１ａの軸方向の長さは、例えばユーザの肩幅程度とする。吐水部７１ａは、浴槽部１に着座した入浴者の両肩に当たるように湯を浴びせる。吐水横バー７１は軸まわりに回転可能であり、回転させることで吐水部７１ａの角度を上下方向に変えることができる。
【００１５】
縦ガイドバー７２は、上下方向を軸方向とする棒状であり、吐水横バー７１の一端部から上方に延びる。縦ガイドバー７２は、軸方向に摺動可能なスライド部材７２ａを有する。スライド部材７２ａは、水平方向を軸方向とする棒状であり、一端部が縦ガイドバー７２に摺動可能に取り付けられており、任意の高さ位置で保持することができる。スライド部材７２ａの他端部には、シャワーヘッド７３を掛けるフック７２ｂが設けられている。シャワーヘッド７３は、フック７２ｂに着脱可能である。
【００１６】
シャワー装置７は、吐水横バー７１の一端部に設けた切替水量調節つまみ７４ａによって、吐水横バー７１またはシャワーヘッド７３のいずれか一方からの吐水を切り替え、水量を調節することができる。またシャワー装置７は、吐水横バー７１の他端部に設けた温度調節つまみ７４ｂによって、吐出する水の温度を調節することができる。
【００１７】
浴槽１０には、湯を排水するための排水栓２１、湯を供給するための吐水具２２、水位が上昇したときに湯を排水するためのオーバーフロー栓２３等が取り付けられる。排水栓２１、吐水具２２およびオーバーフロー栓２３は、浴槽部１における給排水のために機能する部品であり、本発明において、これらの部品を機能部品２と呼ぶこととする。浴槽１０は、排水栓２１、吐水具２２およびオーバーフロー栓２３等の機能部品２が配設される位置に表裏を貫通する貫通孔が形成されており、該貫通孔の縁部に機能部品２が取り付けられ、機能部品２に配管が接続される。
【００１８】
排水栓２１は、浴槽１０の底部１０ｂに設けられており、下水道側へ接続される。吐水具２２は、浴槽１０の周縁部１０ａに設けられており、給水管および給湯装置へ接続される。オーバーフロー栓２３は、浴槽１０の内側面における上部に設けられており、下水道側へ接続される。
【００１９】
図４は浴槽部１の分解斜視図である。浴槽部１は、浴槽１０、浴槽パン１１、排水部３、給湯給水配管４を備える。浴槽１０は、上端開口が平面視矩形の深皿状であり、上述のように排水栓２１、吐水具２２およびオーバーフロー栓２３等の機能部品２が取り付けられている。
【００２０】
浴槽パン１１は、上端が開口した矩形の箱状であり、浴槽１０の下方および側方を覆う。浴槽パン１１の上端部１１ａは、浴槽１０の周縁部１０ａに接続される。浴槽パン１１の上端部１１ａと、浴槽１０の周縁部１０ａとは水密に接続されていてもよい。浴槽パン１１は、底部１１ｂの内側に排水部３が配設されており、底部１１ｂより一段高い段部１１ｃが設けられており、段部１１ｃの下方の外部に後述する外部排水管３５が配設されている。
【００２１】
排水部３は、排水管部３０、トラップ部３１、パン内排水管３２、およびオーバーフロー配管３３を有する。排水管部３０は、一端部が外部排水管３５に連結されており、他端部がトラップ部３１に連結される。トラップ部３１は、浴槽１０の底部１０ｂに配設された排水栓２１に下方から連結されており、排水栓２１から排出された水を排水管部３０へ流す。
【００２２】
トラップ部３１には、パン内排水管３２およびオーバーフロー配管３３が連結されている。パン内排水管３２は、一端部がトラップ部３１に連結され、他端部に逆止弁３２ａを有する。逆止弁３２ａは、浴槽パン１１内部に溜まった水がパン内排水管３２へ流入することを許容するが、パン内排水管３２の中から浴槽パン１１内部への水の流出を遮断する。
【００２３】
オーバーフロー配管３３は、一端部がトラップ部３１に連結され、他端部がオーバーフロー栓２３に連結される。オーバーフロー栓２３から流出された水は、トラップ部３１を介して排水管部３０へ排出される。
【００２４】
給湯給水配管４は、２本が設けられており、一方が給湯用、他方が給水用であり、一端部が吐水具２２に連結され、浴槽パン１１を内外に貫通する貫通孔に設けた取付部４１を通して浴槽パン１１外部に引き出され、他端部が図示しない給湯装置に接続される。吐水具２２から浴槽１０へ供給される湯は、吐水具２２のハンドル部の操作による湯および水の開度に従って温度が設定される。給湯給水配管４から吐水具２２へ供給される湯の温度や水量は、該給湯装置によって制御されており、適宜、入浴者が設定可能であるものとする。
【００２５】
図５（ａ）および（ｂ）は浴室ユニット１００の施工方法における途中工程を示す模式図であり、図６（ａ）および（ｂ）は浴室ユニット１００の施工方法における他の途中工程を示す模式図である。図５（ａ）および（ｂ）、並びに図６（ａ）および（ｂ）に表す施工方法によって、浴槽部１が架台８１上に載置されて支持される。架台８１は、直方体状のフレーム構造体であり、脚部８１ａを四隅および内側の４か所の計８か所に有する。浴室ユニット１００は、第１工程により、浴槽１０を支持する架台８１を床９１上に設置し、第２工程により、外部排水管３５を建築側排水口９２に連結し、外部排水管３５を架台８１の内側に配設する。浴室ユニット１００の施工方法は、第３工程により、外部排水管３５の上方に位置するように浴槽パン１１を架台８１に載置し、第４工程により、排水部３の下流側端部である排水管部３０の一端部３０ａを外部排水管３５に連結し、排水部３を浴槽パン１１の内側に配設する。浴室ユニット１００の施工方法は、第５工程により、排水部３の上方に位置するように浴槽１０を架台８１に載置する。この第５工程に付随して架台８１の四隅に支柱８２を立てる。浴室ユニット１００の施工方法は、第６工程により、排水部３の上流側端部であるトラップ部３１の受け口３１ｃを浴槽１０に設けられた排水口１０ｃに連結する。これにより、浴室ユニット１００の施工方法は、浴槽１０および排水部３の組立作業を容易に行うことができる。
【００２６】
図７は、浴槽部１の縦断面図である。排水部３は、浴槽パン１１の内部であって、浴槽１０と浴槽パン１１との間の空間に配設される。トラップ部３１は、トラップ本体３１ａの内部に封水筒体３１ｂが配置され、トラップ本体３１ａの側方へ排水する。封水筒体３１ｂは、排水栓２１の排水蓋２１ａからの排水をトラップ本体３１ａに流下させて、トラップ本体３１ａに水が溜まった状態に保つ。排水栓２１およびトラップ部３１が取り付けられる浴槽１０の底部１０ｂに設けた貫通孔は、漏水しないようにパッキン等で水密に封止されている。尚、排水栓２１は、例えば排水蓋２１ａの下側にゴム栓等の栓部材（図示略）が配設されており、該栓部材の上下動によって、湯水を溜めたり排水したりすることができる。
【００２７】
トラップ部３１からの排水は、排水管部３０を通して、外部排水管３５へと流れる。排水管部３０および外部排水管３５は、浴槽パン１１における底部１１ｂから立ち上がる底部側板１１ｄに設けた貫通孔において互いに連結されるが、該貫通孔は、浴槽パン１１内部が水密となるようにパッキン等で封止されている。
【００２８】
オーバーフロー栓２３に連結されたオーバーフロー配管３３は、浴槽１０と浴槽パン１１との間に配設されてトラップ部３１に連結されている。オーバーフロー栓２３およびオーバーフロー配管３３が取り付けられる浴槽１０の内側面上部に設けた貫通孔は、漏水しないようにパッキン等で水密に封止されている。
【００２９】
吐水具２２に連結された給湯給水配管４は、浴槽１０と浴槽パン１１との間に配設され、浴槽パン１１から外部に引き出されるように配設されている。吐水具２２および給湯給水配管４が取り付けられる浴槽１０の周縁部１０ａに設けた貫通孔は、漏水しないようにパッキン等で水密に封止されている。給湯給水配管４の取付部４１は、浴槽パン１１の側板１１ｅに形成した貫通孔に設けられている。取付部４１と該貫通孔との隙間、および取付部４１と給湯給水配管４との隙間は、浴槽パン１１内部が水密となるようにパッキン等で封止されている。
【００３０】
次に浴室ユニット１００の作用について説明する。入浴者は、浴室ユニット１００の浴槽１０内において、シャワー装置７から吐出される湯を浴び、浴槽１０に溜めた湯に浸かって入浴することができる。シャワー装置７から吐出された湯、および浴槽１０に溜められた湯は、浴槽１０の底部に設けた排水栓２１やオーバーフロー栓２３から排出される。
【００３１】
浴槽１０は、排水栓２１、吐水具２２およびオーバーフロー栓２３等の機能部品２が配設される位置において内外に貫通する貫通孔が設けられている。それらの貫通孔において、経年劣化等の要因でパッキン等による封止性能が低下して浴槽１０からの漏水が生じても、浴槽１０の下方および側方を覆うように設けた浴槽パン１１で水を受け止めるため、床９１への水の流出を防止することができる。
【００３２】
また、浴槽１０の下方から排水栓２１に連結されるトラップ部３１が浴槽パン１１の内部に設けられているため、トラップ部３１からの漏水が生じても、浴槽パン１１で水を受け止め、床９１への水の流出を防止することができる。
【００３３】
給湯給水配管４が配設される浴槽パン１１の貫通孔は、水密に封止されており浴槽パン１１からの漏水が防止されている。該貫通孔は、浴槽パン１１の側板１１ｅに形成されており、浴槽パン１１の底部１１ｂよりも高い位置にあるため、浴槽パン１１に水が溜まったとしても、該貫通孔より水位が低い場合には床９１への漏水の防止効果が高まる。同様に、排水管部３０が配設される浴槽パン１１の貫通孔は、水密に封止されており浴槽パン１１からの漏水が防止されている。該貫通孔は、浴槽パン１１の底部側板１１ｄに形成されており、浴槽パン１１の底部１１ｂよりも高い位置にあるため、浴槽パン１１に水が溜まったとしても、該貫通孔より水位が低い場合には床９１への漏水の防止効果が高まる。
【００３４】
また、浴槽１０から漏水して浴槽パン１１に水が溜まった場合には、パン内排水管３２によって、浴槽パン１１内の水をトラップ部３１および排水管部３０を介して外部排水管３５へと排出することができる。また、パン内排水管３２は、逆止弁３２ａを有することによって、トラップ部３１側からパン内排水管３２を通って浴槽パン１１へ水が排出されることを防止する。
【００３５】
次に、実施形態の浴室ユニット１００の特徴を説明する。
本発明の実施形態の浴室ユニット１００は、湯を溜める浴槽１０と、浴槽１０の周縁部１０ａに配設された壁部５１と、浴槽１０内において入浴する入浴者に湯を浴びせるシャワー装置７とを備える。浴室ユニット１００は、浴槽１０の下方を覆う浴槽パン１１が設けられているので、浴槽１０からの漏水が生じても、浴槽１０の下方を覆うように設けた浴槽パン１１で水を受け止め、床９１への水の流出を防止することができる。
【００３６】
また浴室ユニット１００は、浴槽１０の底部１０ｂに配設される排水栓２１を有する。排水栓２１に連結されるトラップ部３１が浴槽パン１１の内部に設けられている。これにより、浴室ユニット１００は、トラップ部３１からの漏水が生じても、浴槽パン１１で水を受け止め、床９１への水の流出を防止することができる。
【００３７】
また浴室ユニット１００は、浴槽１０に内外に貫通する貫通孔が形成されており、該貫通孔に機能部品２が配設されている。これにより、浴室ユニット１００は、排水栓２１、吐水具２２およびオーバーフロー栓２３等の機能部品２が配設される貫通孔において浴槽１０からの漏水が生じても、浴槽パン１１で水を受け止めるため、床９１への水の流出を防止することができる。
【００３８】
また浴室ユニット１００は、機能部品２である吐水具２２に連結される給湯給水配管４が浴槽パン１１の側板１１ｅに設けた貫通孔に配設されている。これにより、浴室ユニット１００は、浴槽パン１１に水が溜まったとしても、側板１１ｅに設けた貫通孔より水位が低い場合には床９１への漏水の防止効果が高い。
【００３９】
また浴室ユニット１００は、トラップ部３１に連結される排水管部３０が浴槽パン１１の底部側板１１ｄに設けた貫通孔に配設されている。これにより、浴室ユニット１００は、浴槽パン１１に水が溜まったとしても、底部側板１１ｄに設けた貫通孔より水位が低い場合には床９１への漏水の防止効果が高い。
【００４０】
（変形例）
図８は、変形例に係る浴室ユニット１００の浴槽部１の縦断面図である。変形例に係る浴槽部１においては、給湯給水配管４の取付部４１が、浴槽パン１１の底部１１ｂより一段高い段部１１ｆに形成した貫通孔に配設されている。給湯給水配管４は、一端部が吐水具２２に連結され、浴槽パン１１を内外に貫通する貫通孔に設けた取付部４１を通して浴槽パン１１外部に引き出されるように配設されている。取付部４１と該貫通孔との隙間、および取付部４１と給湯給水配管４との隙間は、浴槽パン１１内部が水密となるようにパッキン等で封止されている。給湯給水配管４が配設される浴槽パン１１の貫通孔は、浴槽パン１１の段部１１ｆに形成されており、浴槽パン１１の底部１１ｂよりも高い位置にある。
【００４１】
浴室ユニット１００は、浴槽パン１１に底部１１ｂより一段高い段部１１ｆが形成されており、機能部品２である吐水具２２に連結される給湯給水配管４が段部１１ｆに設けた貫通孔に配設されている。これにより、浴室ユニット１００は、浴槽パン１１に水が溜まったとしても、段部１１ｆに設けた貫通孔より水位が低い場合には床９１への漏水を防止することができる。
【００４２】
上述の実施形態および変形例においては、浴槽１０の上端開口の形状を平面視矩形状としているが、各辺部分を曲線状とするものであってもよい。また、浴室ユニット１００に設ける扉６は、引戸や折戸などの扉として開閉できるものであればよい。排水部３において、排水管部３０およびトラップ部３１は、一体的に形成されていてもよいし、別体として形成されていてもよい。
【００４３】
また、シャワー装置７は、シャワーヘッド７３を掛けるフック７２ｂが固定されているものであってもよく、いずれかの壁部５１または天井５２に設けられるものであってもよい。
【００４４】
また、浴槽１０に湯を供給する吐水具２２は、浴槽１０の内側面に設けるものであってもよい。浴槽１０の内側面に吐水具２２を設ける場合には、吐水具２２に取水配管および給水配管を連結し、これらの配管を追い焚き装置に接続して、浴槽１０に溜めた湯を追い焚きすることができるようにしてもよい。
【００４５】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４６】
１０  浴槽、  １０ａ  周縁部、  １０ｂ  底部、  １１  浴槽パン、
１１ｂ  底部、  １１ｄ  底部側板、  １１ｅ  側板、  １１ｆ  段部、
２  機能部品、  ２１  排水栓、  ３０  排水管部、  ３１  トラップ部、
４  給湯給水配管（配管）、  ５１  壁部、  ７  シャワー装置、
１００  浴室ユニット。
【図１】
2018114186.tif 000003
【図２】
2018114186.tif 000004
【図３】
2018114186.tif 000005
【図４】
2018114186.tif 000006
【図５】
2018114186.tif 000007
【図６】
2018114186.tif 000008
【図７】
2018114186.tif 000009
【図８】
2018114186.tif 000010